(57)【要約】【課題】収納すべき商品の数が増えても高さを大きくする必要のない箱形商品ディスペンサーを提供する。【解決手段】本発明に係る箱形商品ディスペンサーは、前後方向に一列に並んだ複数個の商品を収容するための収容空間７を内部に有する箱本体３と、前記箱本体３の前面に設けられた商品取り出し口４と、前記収容空間７内に収容された複数個の商品の最後尾を前方に押圧する伸縮部材２と、を備え、前記伸縮部材２は、複数の連結板を備えており、隣接する連結板どうしは、前記収容空間７の後方寄りの連結板の前端部と前記収容空間の前方寄りの連結板の後端部が、弾性部材で互いに連結されている。【選択図】図１
2020111344.tif 000002
【特許請求の範囲】
【請求項１】
前後方向に一列に並んだ複数個の商品を収容するための収容空間を内部に有する箱本体と、
前記箱本体の前面に設けられた商品取り出し口と、
前記収容空間内に収容された複数個の商品の最後尾を前方に押圧する伸縮部材と、
を備え、
前記伸縮部材は、複数の連結板を備えており、
隣接する連結板どうしは、前記収容空間の後方寄りの連結板の前端部と前記収容空間の前方寄りの連結板の後端部が、弾性部材で互いに連結されている、
箱形商品ディスペンサー。
【請求項２】
請求項１に記載の箱形商品ディスペンサーであって、
前記連結板が、その前端部及び後端部の左右両側に切り欠きを有しており、
前記弾性部材が、前記後方寄りの連結板の前端部の左右両側に設けられた切り欠きと前方寄りの連結板の後端部の左右両側に設けられた切り欠きとの間に渡された輪ゴムである、
箱形商品ディスペンサー。
【請求項３】
請求項２に記載の箱形商品ディスペンサーであって、
前記連結板の裏面にスペーサーが設けられている、
箱形商品ディスペンサー。
【請求項４】
請求項１〜３のいずれかに記載の箱形商品ディスペンサーであって、
前記伸縮部材の前部に設けられた、前記商品の最後尾を面状で押す背押し部材を有する、
箱形商品ディスペンサー。
【請求項５】
請求項１〜４のいずれかに記載の箱形商品ディスペンサーであって、
前記箱本体の左右内側面に設けられた、前記収容空間の前方から後方に延在する、前記伸縮部材を案内する案内溝を有する、
箱形商品ディスペンサー。
【発明の詳細な説明】
【技術分野】
【０００１】
本発明は、店舗等において商品を陳列するための箱形商品ディスペンサーに関する。
【背景技術】
【０００２】
従来一般的に用いられている商品陳列の方法として、複数個の同一商品を１個の箱（商品陳列箱）にまとめて収容しておき、該商品陳列箱の前方から１つずつ商品を取り出せるようにしたものがよく知られている。このような商品陳列箱を箱形商品ディスペンサーという。
【０００３】
直方体又はそれに近い形状の商品の場合の従来一般的な箱形商品ディスペンサーは、複数個の商品を一列に整然と収容できるような寸法の箱であって、その前方（箱の正面）に、ユーザが商品を抜き取るための商品取り出し口が設けられたものである。さらに前記箱形商品ディスペンサーには、収容された複数個の商品を前方へ押圧する押し具が設けられているものがある。特許文献１には、前記箱形商品ディスペンサーの押し具として、２枚の矩形板を噛み合わせてＸ字状にしたものが開示されている。このＸ字状の押し具は、２枚の矩形板のそれぞれの中央に半分幅の切れ目を入れ、両切れ目を互いに逆方向にして両矩形を噛み合わせることにより構成される。こうして構成したＸ字状の押し具の前方側に隣接する２枚の腕板をゴムで互いに引っ張ることにより、それら２枚の腕板は近づき、Ｘ字状の押し具は前後方向に長く、天地方向には低くなる。これにより押し板が押され、該押し板を介して最後尾の商品の背を押す構成となっている。
【先行技術文献】
【特許文献】
【０００４】
【特許文献１】特開2000-289737号公報
【発明の概要】
【発明が解決しようとする課題】
【０００５】
しかしながら、収容空間に収容する商品の数が増えると、それに比例するようにＸ字状の押し具における２枚の矩形板の縦幅を大きくしなければならない。なぜなら、商品が少なくなった場合でも、前記Ｘ字状の押し具を前後方向に伸ばして、残存商品の背を押圧する押し板まで届かせる必要があるからである。しかし、２枚の矩形板の縦幅を大きくすると、逆に収納商品が多い場合にＸ字状の押し具を高さ方向に伸ばす必要があり、それを収納するために箱形商品ディスペンサーの高さも大きくしなければならない。
【０００６】
本発明の課題は、収納すべき商品の数が増えても高さを大きくする必要のない箱形商品ディスペンサーを提供することである。
【課題を解決するための手段】
【０００７】
上記課題を解決するために成された本発明に係る箱形商品ディスペンサーは、
前後方向に一列に並んだ複数個の商品を収容するための収容空間を内部に有する箱本体と、
前記箱本体の前面に設けられた商品取り出し口と、
前記収容空間内に収容された複数個の商品の最後尾を前方に押圧する伸縮部材と、
を備え、
前記伸縮部材は、複数の連結板を備えており、
隣接する連結板どうしは、前記収容空間の後方寄りの連結板の前端部と前記収容空間の前方寄りの連結板の後端部が、弾性部材で互いに連結されている。
【０００８】
この箱形商品ディスペンサーは、前記収容空間内前後方向に複数個の商品を一列に並べて収納する。このとき、並べられている商品の最後尾のものが、その後側に配置された伸縮部材によって収容空間の前方へ押圧されるので、並べられている商品全体が前方へ押圧される。したがって、ユーザが最前方の商品を抜き取ると次の商品が前方へ押し出されて、商品取り出し口付近に移動する。
【０００９】
上記本発明に係る箱形商品ディスペンサーは、前記連結板が、その前端部及び後端部の左右両側に切り欠きを有しており、
前記弾性部材が、前記後方寄りの連結板の前端部の左右両側に設けられた切り欠きと前方寄りの連結板の後端部の左右両側に設けられた切り欠きとの間に渡された輪ゴムから構成されていることが好ましい。
【００１０】
また、上記本発明に係る箱形商品ディスペンサーは、前記連結板の裏面にスペーサーが設けられていることが好ましい。これにより、伸縮部材が縮んで、隣接する連結板の間で輪ゴムが引き伸ばされるような状態となったとき、隣接する連結板の間に輪ゴムが存在できる空間が確保される。輪ゴムが存在できる空間を確保する点で、前記スペーサーは、輪ゴムの太さ程度又はそれよりも少し太い厚さを有することが好ましい。
【００１１】
また、上記本発明に係る箱形商品ディスペンサーは、前記伸縮部材の前部に設けられた、前記商品の最高尾を面状に押す背押し部材を備えることが望ましい。これにより、伸縮部材は背押し部材を介して商品を押圧するため、商品に押圧痕が残ることが防止される。
【００１２】
また、上記本発明に係る箱形商品ディスペンサーの箱本体は、左右の内側面において、前記収容空間の前方から後方に延在する、前記伸縮部材を案内する案内溝を有することが望ましい。これにより、伸縮部材は、案内溝にガイドされて前後方向にスムーズに伸縮することができる。
【発明の効果】
【００１３】
本発明に係る箱形商品ディスペンサーは、収納すべき商品の数が増えても、全体の高さが大きくなることがない。
【図面の簡単な説明】
【００１４】
【図１】本発明に係る箱形商品ディスペンサーの側面図。
【図２】伸縮部材の（ａ）上面図、（ｂ）下面図。
【図３】伸縮部材に含まれる隣接した連結板どうしの側面図であって、（ａ）は伸縮部材に外力が加わっていない状態、（ｂ）は伸縮部材が外力によって縮んでいる状態。
【図４】箱形商品ディスペンサーの収容空間に商品が収容されているときの側面図であって、（ａ）商品が１つだけ収容されている状態、（ｂ）商品が複数収容されている状態。
【図５】壁部材（ａ）及び背押し部材（ｂ）の斜視図。
【図６】伸縮部材の変形例を示す下面図。
【発明を実施するための形態】
【００１５】
以下、添付の図面を参照しながら、本発明の実施形態について説明する。以下の実施形態は、本発明を具体化した一例であって、本発明の技術的範囲を限定するものではない。
【００１６】
＜１．構成＞
本実施形態に係る箱形商品ディスペンサー１の全体構成について、図１を参照しながら説明する。図１は、箱形商品ディスペンサー１の側面図である。
【００１７】
箱形商品ディスペンサー１は、直方体又はそれに近い形状の商品を一列に複数個並べて収容するための収容空間７を有する箱本体３と、箱本体３の前面に設けられた商品取り出し口４と、前記収容空間７内に収容された複数個の商品の最高尾を後ろから押圧する背押し部材６と、該背押し部材６に連結された伸縮部材２と、伸縮部材２の後端を支持する支持板１０を備える。図１では、説明の便宜上、箱本体３を透視状態で示す。なお、箱形商品ディスペンサー１の収容空間７における商品の並び方向を「前後方向」と呼ぶ。
【００１８】
＜１-１．箱本体＞
箱本体３は、前後方向に長い直方体状の外箱３１とその内部の左右両側に配置された壁部材３２とから構成されている。外箱３１及び壁部材３２は、例えば厚紙により形成されている。２個の壁部材３２の対向面には、それぞれ収容空間７の前方から後方に延在する溝５が設けられている。図５（ａ）は前方から見て左側の壁部材３２を示している。この図に示すように、溝５はそれぞれ壁部材３２の高さ方向中央の位置に設けられている。壁部材３２は、溝５よりも下側の部分が上側の部分よりも前後方向の長さが大きくなっている。溝５は、伸縮部材２及び背押し部材６の前後方向の移動をガイドする。
【００１９】
商品取り出し口４は、外箱３１の上面の前端部から前面の上半部にかかる部分を切り取ったような形状を有しており、ここから収容空間７に一列に収容される商品（最前部の商品）を取り出すことができる。商品取り出し口４が上記形状を有していることにより（言い換えると外箱３１の前面の下半部が塞がれていることより）前端の商品が商品取り出し口４で停止するようになっている。また、外箱３１の後面は開閉自在な蓋１１によって塞がれている。
【００２０】
＜１-２．伸縮部材＞
収容空間７に配置される伸縮部材２について、図２及び図３を参照しながら説明する。
【００２１】
図２（ａ）及び（ｂ）は伸縮部材２の上面図及び下面図である。図３は伸縮部材に含まれる隣接した連結板どうしの側面図であって、同図の（ａ）は伸縮部材に外力が加わっていない状態、同図の（ｂ）は伸縮部材が外力によって縮んでいる状態を示している。伸縮部材２は、前後方向に一列に並んだ複数の矩形の連結板２０と、前後に隣接する連結板２０どうしを連結する複数の輪ゴム２３とから構成されている。各連結板２０は厚さ１〜２mm程度の厚紙から成り、その前後の左右両側には、それぞれ１個ずつ、計４個の丸形の切り欠き２２が設けられている。
【００２２】
前後に隣接する連結板２０は次のように連結されている。前側にある連結板２０の後部左右の切り欠き２２と、後側にある連結板２０の前部左右の切り欠き２２が一致するように、前方にある連結板２０が下に、後方の連結板２０が上になるよう重ね合わせる。そして、重なり合った連結板２０の左側の切り欠き２２と右側の切り欠き２２の間に輪ゴム２３を渡して掛ける。これを、全ての連結板２０について繰り返す。なお、本発明における弾性部材は環状であれば必ずしも輪ゴムでなくてもよく、ゴム紐等、紐状の弾性部材を結んで環状にしたものでもよい。
【００２３】
連結板２０の裏面には矩形状のスペーサー２１が取り付けられている。スペーサー２１は、その４個の頂点が連結板２０の４個の切り欠き２２の近傍に位置する大きさを有している。スペーサー２１は、伸縮部材２を縮めるために、隣接する連結板２０の間で輪ゴム２３が引き延ばされたとき、隣接する連結板２０の間で輪ゴム２３が存在できる空間を確保するためのものである。従って、スペーサー２１の厚さは、輪ゴム２３の太さと同程度又はそれよりも少し太いことが望ましい。
【００２４】
重なり合った連結板２０の左右の切り欠き２２に輪ゴム２３が掛け渡されたとき、輪ゴム２３は左右方向に少し引き延ばされた状態になる。これにより、伸縮部材２に外力が加わっていないときは、図２（ａ）及び（ｂ）に示すように、切り欠き２２が一致した状態で連結板２０が重なった状態となる。
【００２５】
＜１-３．背押し部材＞
図５（ｂ）に示すように、背押し部材６は、背押し板６２と、その左右の高さ方向中央に設けられた凸片６１と、背押し板６２の後面の上部と下部に設けられた上部移動部材６３ａと下部移動部材６３ｂとから構成されている。凸片６１は、壁部材３２に形成された溝５とほぼ同じ高さに設けられている。また、下部移動部材６３ｂの高さｄ２は、溝５の下面の高さｄ１とほぼ同じである。さらに、上部移動部材６３ａ及び下部移動部材６３ｂは１個の連結板２０の前後方向の長さとほぼ同じ前後方向の長さを有しており、両移動部材６３ａ、６３ｂの間は収容凹部８となっている。
【００２６】
＜２．箱形商品ディスペンサーの組立＞
箱形ディスペンサー１は次のようにして組み立てられる。まず、伸縮部材２の最前部の連結板２０の前端を、背押し部材６の下部移動部材６３ｂの上面の前端に、例えば、粘着テープや接着剤などを用いて取り付ける。また、伸縮部材２の最後部の連結板２０の後端部に、支持板１０を、例えば、粘着テープや接着剤などを用いて取り付ける。支持板１０は、収容空間７の底面から上部移動部材６３ａの下面までの高さよりもやや小さい長さを有している。
【００２７】
この状態で、外箱３１の後面の蓋１１を開けて、壁部材３２を外箱３１内部の左右両側に配置し、背押し部材６、伸縮部材２及び支持板１０を箱本体３の収容空間７に配置する。このとき、背押し板６２の凸片６１を溝５に差し込むとともに、連結板２０の左右両端部を溝５に挿入する。この状態では、伸縮部材２の長さは収容空間７よりも若干長く、伸縮部材２の後端部と支持板１０は箱本体３の外に位置しているため、支持板１０を前方に押し込みつつ蓋１１を閉める。これにより、背押し部材６は伸縮部材２によって前方に付勢された状態となる。また、背押し部材６及び伸縮部材２は、溝５にガイドされ、前後方向にスムーズに移動することができる。
【００２８】
＜３．箱形商品ディスペンサーの使用態様＞
箱形商品ディスペンサー１の使用態様について、図４及び図５を参照しながら説明する。ただし、図４では図を見やすくするために壁部材３２の図示を省略する。
【００２９】
箱形商品ディスペンサー１を使用するにあたっては、商品取り出し口４より背押し部材６を後方に押しながら複数の商品９を順に箱本体３の中に入れる。これにより、収容空間７に、複数個の商品９が前後方向に一列に並んでいく。また、背押し部材６が押されることによって伸縮部材２は徐々に縮む。このとき、伸縮部材２の最前部の連結板２０よりも最後部の連結板２０が高い位置にあるため、前側にある連結板２０は後側の連結板２０の下部に入り込む。そして、図４（ｂ）に示すように、収容空間７の全体が商品９で埋まると、背押し部材６の後面にある収容凹部８に伸縮部材２が入り込んだ状態となる。
【００３０】
またこのとき、前後に隣接する２枚の連結板２０に渡された輪ゴム２３は、図３（ｂ）に示すように前後方向に伸び、該２枚の連結板２０の間に存在するが、連結板２０の裏面のスペーサー２１によって、輪ゴム２３が存在する空間が確保される。
【００３１】
収容空間７に複数の商品９が収容されているとき、最後尾の商品９の後面には伸縮部材２に前方に付勢された背押し板６２が当接する。従って、商品９は常に前方に付勢された状態となる。これにより、ユーザが最前部の商品９を商品取り出し口４から取り出すと、次に並べられている商品９が前に詰められ、商品取り出し口４付近に移動する。
【００３２】
また、箱本体３の左右の内側面に溝５が設けられており、連結板２０及び背押し部材６は溝５に沿って前後方向に移動する。このことから、伸縮部材２が伸縮するときに各連結板２０が上に浮き上がってしまうことにはならず、背押し部材６を確実に前方へ付勢することができる。
【００３３】
＜４．変形例＞
本発明は上記した実施形態に限らず、例えば以下のように変形することが可能である。  上記の実施形態では、伸縮部材２の前側に背押し部材６を配置したが、伸縮部材２が直接商品９を押圧してもよい。
【００３４】
上記の実施形態では、背押し部材６に上部移動部材６３ａ及び下部移動部材６３ｂを設けたが、上部移動部材６３ａのみ、又は、下部移動部材６３ｂのみが設けられていてもよく、両移動部材６３ａ、６３ｂが共に形成されていなくてもよい。
【００３５】
上記の実施形態では、収容空間７の高さ方向中央付近に伸縮部材２を配置したが、例えば高さの小さい商品の場合は、収容空間７の下部付近に伸縮部材２を配置してもよく、この場合は溝５も壁部材３２の高さ方向下部に設けるとよい。また、該溝５は必ずしも形成されていなくてもよい。
【００３６】
上記の実施形態では、商品取り出し口４の開口部の大きさは、収容空間７から収容対象の商品を１つだけ抜き出せる程度とすることが、好ましい。
【００３７】
上記の実施形態では、伸縮部材２の切り欠き２２は、必ずしも丸形に形成されていなくてもよく、例えば、図６に示すようにＶ字形切り欠き２２ａが形成されてもよい。また、伸縮部材２の最前部に位置する連結板２０の前部、及び最後部に位置する連結板２０の後部には、切り欠き２２が形成されていなくてもよい。
【００３８】
上記の実施形態では、スペーサー２１は、必ずしも連結板２０の裏面の中央の位置に設けられる必要はない。例えば、図６に示す変形スペーサー２１ａのように連結板２０の前端部及び後端部それぞれの位置に形成されてもよい。
【００３９】
前後に隣接する連結板２０は、必ずしも前寄りにある連結板２０が下に、後寄りにある連結板２０が上になるよう重ね合わせる必要はなく、前寄りにある連結板２０が上に、後寄りにある連結板２０が下になるように連結してもよい。
【００４０】
上記の実施形態では、外箱３１と壁部材３２は必ずしも分かれて形成されていなくてもよく、例えば外箱３１と壁部材３２が一体化されていてもよい。
【００４１】
蓋１１は必ずしも箱本体３の後面に設けられていなくてもよく、例えば箱本体３の上面に設けてもよい。
【符号の説明】
【００４２】
１…箱形商品ディスペンサー
２…伸縮部材
３…箱本体
３１…外箱
３２…壁部材
４…商品取り出し口
５…溝
６…背押し部材
６１…凸片
６２…背押し板
６３ａ…上部移動部材
６３ｂ…下部移動部材
７…収容空間
８…収容凹部
９…商品
１０…支持板
１１…蓋
２０…連結板
２１…スペーサー
２１ａ…変形スペーサー
２２…切り欠き
２２ａ…Ｖ字形切り欠き
２３…輪ゴム
【図１】
2020111344.tif 000003
【図２】
2020111344.tif 000004
【図３】
2020111344.tif 000005
【図４】
2020111344.tif 000006
【図５】
2020111344.tif 000007
【図６】
2020111344.tif 000008